(57)【要約】  使い捨て手袋（１０）のパッケージ、および手袋供給装置（６０）が提供される。使い捨て手袋のパッケージは、列になって互いに接合される複数の手袋（２５）を備え、手袋のうちの隣り合う手袋は、手袋を互いから分離するように破断可能であるそれぞれの第１の脆性連結部（２６）によって互いに連結される。手袋のそれぞれは、第１の脆性連結部に交差するように位置して各手袋（２５）の開いた履き口（３０）を形成する手袋縁部（２９）を有し、各手袋の少なくとも１つの指部（１１ｂ）は、対応する別の脆性連結部（５２）によって手袋の隣り合う指部（１ｂ）または親指部（１１ｃ）に連結され、別の脆性連結部（５２）は、手袋の連結された指部または指部／親指部を分離するように破断可能である。手袋供給装置（６０）は、使用者の手への、手袋パッケージ（１０）の手袋の衛生的な位置決めを可能にするために使用され得る。供給装置は、手袋のパッケージを収容するための収容場所（６４、６５）と、手袋の列を送り出して、列の端部の手袋を装置の手挿入ゾーン（６８）に位置決めする、手袋列送り機構（７２ａ、７２ｂ）と、粘着性表面（８３）を含む手袋開口システムとを備え、手袋開口システム（７０）は、列の端部の手袋の対向する第１および第２の層（１８、２０）に付着するように、層に粘着性表面を接触させ、その後、手袋の付着した層同士を引き離して手挿入ゾーン（６８）において使用者が自身の手を手袋の開いた履き口（３０）に挿入することを可能にするように動作可能である。手袋供給装置を使用する方法も提供される。【選択図】図８
2019515155.tif 000002
【特許請求の範囲】
【請求項１】
列をなして互いに接合された複数の手袋であって、前記手袋のうちの互いに隣り合う手袋が、前記手袋を互いから分離するように破断可能である第１の脆性連結部によって互いに連結される、複数の手袋と、
各手袋の開いた履き口を形成するように、前記第１の脆性連結部に交差して配置される手袋縁部と、を備え、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を、互いから分離するように破断可能である、
使い捨て手袋のパッケージ。
【請求項２】
前記手袋の前記互いに連結された指部または前記互いに連結された指部及び親指部が、前記別の脆性連結部によって互いに対してすぐ隣に保持される、請求項１に記載のパッケージ。
【請求項３】
前記別の脆性連結部が、前記手袋の前記互いに連結された指部または前記互いに連結された指部及び親指部のそれぞれの外縁部の少なくとも一部を画定する、請求項１または２に記載のパッケージ。
【請求項４】
前記別の脆性連結部は、前記手袋の前記互いに連結された指部または前記互いに連結された指部及び親指部が互いに対して自由に動くのを可能にするように破断可能である、請求項１または２に記載のパッケージ。
【請求項５】
前記手袋の指部の各々が、前記別の脆性連結部によって前記手袋の隣り合う指部または親指部に連結される、請求項１から４のいずれか一項に記載のパッケージ。
【請求項６】
前記第１の脆性連結部が、一つの前記手袋の親指部または小指部を、前記列内で前記一つの手袋に隣り合う手袋の小指部または親指部に接合する、請求項１から５のいずれか一項に記載のパッケージ。
【請求項７】
前記第１の脆性連結部が、前記手袋縁部から前記一つの手袋の前記親指部の上方部へと延在し、かつ前記隣り合う手袋の前記小指部の下方部へと延在する、請求項６に記載のパッケージ。
【請求項８】
前記第１の脆性連結部が、前記一つの手袋の前記親指部を前記隣り合う手袋の前記小指部に接合する、請求項６に記載のパッケージ。
【請求項９】
前記手袋が、さらにウェブ部を備え、前記ウェブ部は、前記手袋の手のひら部の一方の側から、前記手袋を隣り合う上流側の手袋に連結する前記第１の脆性連結部へと延在する、請求項１から８のいずれか一項に記載のパッケージ。
【請求項１０】
前記手袋が、前記手のひら部の前記一方の側と反対の側から、隣り合う下流側の手袋に前記手袋を連結する前記第１の脆性連結部へと延在する別のウェブ部を備える、請求項９に記載のパッケージ。
【請求項１１】
各手袋が、１つまたは複数の機械位置合わせガイド部を有する、請求項１から１０のいずれか一項に記載のパッケージ。
【請求項１２】
前記１つまたは複数の機械位置合わせガイド部が、前記手袋に配置される少なくとも１つのガイド開口を備える、請求項１１に記載のパッケージ。
【請求項１３】
前記手袋を供給するための手袋供給装置と組み合わせられた、請求項１から１２のいずれか一項に記載の使い捨て手袋のパッケージ。
【請求項１４】
使い捨て手袋であって、前記手袋の少なくとも１つの指部が、前記手袋の隣り合う指部または親指部に脆性連結部によって連結され、前記脆性連結部は、前記手袋の互いに連結された前記指部または互いに連結された前記指部及び前記親指部を、互いから分離するように破断可能である、使い捨て手袋。
【請求項１５】
前記手袋の前記互いに連結された指部または前記互いに連結された指部及び親指部が、前記脆性連結部によって互いに対してすぐ隣に保持される、請求項１４に記載の使い捨て手袋。
【請求項１６】
前記脆性連結部は、前記手袋の前記互いに連結された指部または前記互いに連結された指部及び親指部が互いに対して自由に動くのを可能にするように破断可能である、請求項１４に記載の使い捨て手袋。
【請求項１７】
前記脆性連結部が、前記手袋の前記互いに連結された指部または前記互いに連結された指部及び親指部のそれぞれの外縁部の少なくとも一部を画定する、請求項１４から１６のいずれか一項に記載のパッケージ。
【請求項１８】
前記手袋の指部および親指部の各々が、前記脆性連結部によって連結される、請求項１４から１７のいずれか一項に記載のパッケージ。
【請求項１９】
使用者の手への手袋の衛生的な配置を可能にする供給装置であって、
連続的な手袋の列を格納するための格納部であって、前記手袋のうちの互いに隣り合う手袋が、前記手袋を互いから分離するように破断可能である第１の脆性連結部によって互いに連結され、各手袋が、第１および第２の層から形成され、前記手袋の開いた履き口を形成するように前記第１の脆性連結部に交差して配置される手袋縁部を有する、格納部と、
前記手袋の列を送り出して、前記列の端部の手袋を前記供給装置の手挿入ゾーンに配置する、手袋列送り機構と、
粘着性表面を含む手袋開口システムであって、前記粘着性表面を前記端部の手袋の前記第１および第２の層に付着させるように、前記粘着性表面を前記第１及び第２の層に接触させ、その後、前記手挿入ゾーンにおいて使用者が前記手袋の前記開いた履き口に自身の手を挿入するのを可能にするように前記手袋の付着させた前記第１及び第２の層を互いから引き離すように動作可能である、手袋開口システムと、を備える、供給装置。
【請求項２０】
前記手袋開口システムが、前記手挿入ゾーンに配置される、請求項１９に記載の供給装置。
【請求項２１】
前記手袋開口システムが一対の手袋開口要素を備え、前記一対の手袋開口要素の各々が、その内側面に粘着性表面を有し、前記手袋開口システムは、記粘着性表面と前記手袋の対応する前記第１及び第２の層との接触を生じさせるように前記一対の手袋開口要素の少なくとも一方の手袋開口要素を、前記一対の手袋開口要素の他方に向かって動かし、それによって前記手袋の前記第１及び第２の層は前記粘着性表面に付着し、次いで、付着した前記第１及び第２の層を互いから分離するように前記少なくとも一方の手袋開口要素を他方の手袋開口要素から離れるように動かし、それによって前記手袋を開くように動作可能である、請求項１９または２０に記載の供給装置。
【請求項２２】
前記一対の手袋開口要素が、前記供給装置から取外し可能であり、それぞれ、前記粘着性表面を提供する材料でコーティングされている、請求項２１に記載の供給装置。
【請求項２３】
前記粘着性表面が、前記手袋開口要素から取外し可能なグリップ部の表面である、請求項２１に記載の供給装置。
【請求項２４】
前記コーティングが、ケイ素コーティング、ポリウレタンコーティング、およびエポキシコーティングからなる群から選択される、請求項２３に記載の供給装置。
【請求項２５】
前記一対の手袋開口要素が、一対のアームを備え、前記一対のアームが、互いに対して対向して設けられており、前記粘着性表面と前記手袋の前記第１及び第２の層とを接触させるように互いに向かって動かされ、前記手袋を開くように互いから離れるように動かされるように動作可能である、請求項２１に記載の供給装置。
【請求項２６】
前記粘着性表面が、前記アームから取外し可能である、請求項２５に記載の供給装置。
【請求項２７】
前記粘着性表面が、前記アーム上に受けられる取外し可能なスリーブによって提供される、請求項２５または２６に記載の供給装置。
【請求項２８】
前記粘着性表面が、前記アームに固定されるグリップ部によって提供される、請求項２５に記載の供給装置。
【請求項２９】
前記手袋列送り機構が、前記手挿入ゾーンへと下方に前記手袋の列を送り出すように構成される、請求項１９から２８のいずれか一項に記載の供給装置。
【請求項３０】
前記手袋列送り機構が、前記手袋の列を受けるように動作可能な一対の対向するローラーを備え、前記ローラーのうちの少なくとも一方が、前記供給装置の前記手挿入ゾーンに前記手袋のうちの前記端部の手袋を配置するように前記手袋の列を送り出すように駆動可能である、請求項１９から２９のいずれか一項に記載の供給装置。
【請求項３１】
前記手袋の列が前記ローラーの動作によって送り出されるとき、前記ローラーが、前記供給装置の中で固定位置に保持されるように構成される、請求項３０に記載の供給装置。
【請求項３２】
前記手挿入ゾーンに向かって前記手袋の列を送り出す前記ローラーの動作に先立って、前記ローラーが、前記連続的な手袋の列が前記ローラー同士の間に送られるのを可能にするように互いから分離可能である、請求項３０または３１に記載の供給装置。
【請求項３３】
前記ローラーが、前記手挿入ゾーンへと実質上鉛直下方に前記手袋の列を送り出すように構成される、請求項３０から３２のいずれか一項に記載の供給装置。
【請求項３４】
前記手挿入ゾーンへと前記手袋の列を送り出すように前記ローラーのうちの前記少なくとも一方を駆動するモータをさらに備え、前記供給装置は、前記モータが作動されることになる速度および時間のうちの少なくとも一方を決定するように各手袋の指標部を読み取るように動作可能である、請求項３０から３３のいずれか一項に記載の供給装置。
【請求項３５】
使用者の手への手袋の衛生的な配置のための供給装置であって、粘着性表面を含む手袋開口システムを備え、前記手袋が、第１および第２の層から形成され、前記手袋開口システムは、前記粘着性表面が前記手袋の前記第１および第２の層に付着するように前記第１及び第２の層に前記粘着性表面を接触させ、その後、前記手袋を開いて使用者が前記手袋に自身の手を挿入することを可能にするように、前記手袋の付着した前記第１及び第２の層を互いから引き離すように動作可能である、供給装置。
【請求項３６】
使用者の手への手袋の衛生的な配置を可能にする供給装置であって、
連続的な手袋の列を格納するための格納部であって、前記手袋のうちの互いに隣り合う手袋は、前記手袋を互いから分離するように破断可能である第１の脆性連結部によって互いに連結され、各手袋は２つの層から形成され、かつ、前記手袋の開いた履き口を形成するように前記脆性連結部に交差して配置される手袋縁部を有する、格納部と、
前記連続的な手袋の列を受けるように動作可能な一対のローラーを備える手袋列送り機構であって、前記ローラーのうちの少なくとも一方が、前記供給装置の手挿入ゾーンに前記手袋のうちの端部の手袋を配置するように前記手袋の列を送り出すように駆動可能である、手袋列送り機構と、
前記端部の手袋の前記２つの層を分離させ、それによって使用者が前記手袋の前記開いた履き口に自身の手を挿入することを可能にするように動作可能な手袋開口システムと、を備える、供給装置。
【請求項３７】
前記手袋開口システムが、前記手挿入ゾーンに配置される、請求項３６に記載の供給装置。
【請求項３８】
手袋のパッケージから手袋を供給するための手袋供給装置の手袋開口要素であって、前記手袋の各々は、第１および第２の層から形成され、前記パッケージの前記手袋は、列をなして互いに接合され、前記手袋のうちの互いに隣り合う手袋が、前記手袋を互いから分離するように破断可能な脆性連結部によって連結され、前記手袋開口要素が、使用時に前記列の端部の前記手袋に一時的に付着する粘着性表面を備える支持体を備えており、前記支持体が、前記手袋供給装置に取り付けられて、前記手袋の対応する前記層に接触するように動くように構成され、それにより、前記手袋供給装置の動作中、前記粘着性表面が、前記手袋の対応する層に付着し、前記手袋の他方の層に対する前記支持体の相対運動によって前記手袋を開く、手袋開口要素。
【請求項３９】
手袋のパッケージから手袋を供給するための手袋供給装置の手袋開口要素であって、前記手袋の各々は、第１および第２の層から形成され、前記パッケージの前記手袋は、列をなして互いに接合され、前記手袋のうちの互いに隣り合う手袋が、前記手袋を互いから分離するように破断可能な脆性連結部によって連結され、前記手袋開口要素が、使用時に前記列の端部の前記手袋に一時的に付着する粘着性表面を備える支持体を備えており、前記支持体が、前記手袋供給装置に取り付けられるように構成され、前記粘着性表面が、前記支持体に配置され、前記手袋開口要素は、別の粘着性表面を有する前記供給装置の別の手袋開口要素と共に、動かされて前記手袋に接触するように動作可能であり、それにより、前記手袋の各層が、前記手袋開口要素の前記粘着性表面のそれぞれに付着し、前記手袋開口要素のうちの少なくとも一方が他方の手袋開口要素から遠ざかるように動かされた際、前記手袋の開いた履き口への使用者の手の挿入のために、付着した前記各層が、前記供給装置の動作により互いから引き離されて前記手袋を開く、手袋開口要素。
【請求項４０】
手袋のパッケージから手袋を供給するための手袋供給装置の手袋開口要素の支持体に取り付けられるように構成されるグリップ部であって、前記手袋は、列をなして互いに接合され、前記手袋のうちの互いに隣り合う手袋が、前記手袋を互いから分離するように破断可能な脆性連結部によって連結され、前記グリップ部が、前記手袋の層に接触するように配置される粘着性表面を有して、前記供給装置の手袋開口動作中、前記粘着性表面に前記手袋の層を一時的に付着させて、前記開いた手袋への使用者の手の挿入を可能にする、グリップ部。
【請求項４１】
手への手袋の衛生的な配置の方法であって、
前記手袋の供給のための供給装置に使い捨て手袋を装填するステップであって、各手袋が、第１および第２の層から形成され、前記供給装置が、粘着性表面を含む手袋開口システムを備え、前記手袋開口システムは、前記粘着性表面が各手袋の前記第１および第２の層に付着するように、前記第１および第２の層に前記粘着性表面を接触させ、その後、前記手袋の付着した前記第１および第２の層を互いから引き離して、使用者が前記手袋の開いた履き口に自身の手を挿入することを可能にするように動作可能である、ステップと、
前記供給装置の前記手袋開口システムを作動させるステップであって、それにより、前記手袋開口システムの前記粘着性表面が、前記手袋の前記第１および第２の層に付着し、前記手袋への使用者の手の挿入のために前記第１および第２の層を互いから引き離して前記手袋を開く、ステップと、を含む、方法。
【請求項４２】
使用者の手への手袋の衛生的な配置の方法であって、
前記手袋の供給のための供給装置に使い捨て手袋のパッケージを装填するステップであって、前記パッケージが、列をなして互いに接合される複数の手袋を備え、前記手袋のうちの互いに隣り合う手袋が、前記手袋を互いから分離するように破断可能な第１の脆性連結部によって互いに連結され、手袋縁部が、前記第１の脆性連結部に交差して配置されて各手袋の開いた履き口を形成し、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を、互いから分離するように破断可能であり、各手袋が、第１および第２の層から形成される、ステップと、
前記手袋の列から手袋を供給するための前記供給装置を作動させるステップであって、前記供給装置が、前記手袋の列を送り出して前記供給装置の手挿入ゾーンに前記列の端部の前記手袋を配置する手袋列送り機構と、粘着性表面を含む手袋開口システムと、を備え、前記手袋開口システムは、前記粘着性表面が前記端部の手袋の前記第１および第２の層に付着するように、前記第１および第２の層に前記粘着性表面を接触させ、その後、前記手袋の付着した前記第１および第２の層を互いから引き離して使用者が前記手袋の前記開いた履き口に自身の手を挿入することを可能にするように動作可能である、ステップと、を含む、方法。
【請求項４３】
手袋の衛生的な供給方法であって、
前記手袋の供給のための供給装置に装填されるための、使い捨て手袋のパッケージを提供するステップであって、前記パッケージが、列をなして互いに接合される複数の手袋を備え、前記手袋のうちの互いに隣り合う手袋が、前記手袋を互いから分離するように破断可能な第１の脆性連結部によって互いに連結され、手袋縁部が、前記第１の脆性連結部に交差して配置されて各手袋の開いた履き口を形成し、各手袋の少なくとも１つの指部が、前記手袋の隣り合う指部または親指部に、前記第１の脆性連結部とは別の脆性連結部によって連結され、前記別の脆性連結部は、前記手袋の互いに連結された前記指部または互いに連結された前記指部及び前記親指部を互いから分離するように破断可能であり、各手袋が、第１および第２の層から形成される、ステップと、
前記供給装置に使い捨て手袋の前記パッケージを装填するステップと、
前記手袋の列から手袋を供給するための前記供給装置を作動させるステップであって、前記供給装置が、前記手袋の列を送り出して前記供給装置の手挿入ゾーンに前記列の端部の前記手袋を配置する手袋列送り機構と、粘着性表面を含む手袋開口システムと、を備え、前記手袋開口システムは、前記粘着性表面が前記手袋の前記第１および第２の層に付着するように、前記第１および第２の層に前記粘着性表面を接触させ、その後、前記手袋の付着した前記第１および第２の層を互いから引き離して使用者が前記手袋の前記開いた履き口に自身の手を挿入することを可能にするように動作可能である、ステップと、を含む、方法。
【発明の詳細な説明】
【技術分野】
【０００１】
本発明は、使い捨て手袋のパッケージ、および手袋供給装置に関する。
【背景技術】
【０００２】
使い捨て手袋の使用は、サンドイッチなどの食品が準備され顧客に販売されることがある、または肉などの他の蓋をされていない食品がトレーから選ばれ顧客が購入するために包まれる、食品取扱い施設などの多くの産業において一般的である。このような手袋の使用は、衛生を向上させ、このような食品が素手で取り扱われる場合に起きる恐れのある細菌の蔓延を防止するように意図されている。
【発明の概要】
【発明が解決しようとする課題】
【０００３】
供給可能手袋は、一般に箱に入って販売される。使用者は、箱の上部の開口から手袋を引き出し、その後、手で手袋を装着する。これは、手袋の装着前および装着中に、使用者が手袋に著しく接触することを必要とする。したがって、手袋の外表面が、細菌、ちり、および／または使用者の手に存在する他の望ましくない材料で汚染される恐れがある。
【０００４】
自動手袋供給機械が、本出願人の名義において、国際特許出願第ＰＣＴ／ＡＵ２００８／００１３７７号において提案されている。機械は、供給可能手袋のロールを収容する区域と、ロールから機械の手挿入ステーションへと手袋の列を引き出すための可動間欠送り（ｉｎｄｅｘｉｎｇ）機構と、手挿入ステーションにおいて使用者の手を挿入するために、列の端部の手袋を開くための手袋開口装置とを含む。手袋のロールは、それぞれが使い捨て手袋を備える一連のパネルを備え、これらのパネルのうちの連続したパネルは、脆性連結部によって互いに接合される。使用時、使用者が手挿入ステーションから自身の手を引き抜くとき、脆性連結部は、切り離されて列から手袋を分離し、間欠送り装置は、手袋の列に沿って戻って、機械のグリップステーションにおいて手袋の列をグリップし、手挿入ステーションへと戻る動きと共に、ロールから手袋の列をさらに引き出す。
【課題を解決するための手段】
【０００５】
本発明の一態様では、
列をなして互いに接合される複数の手袋であって、手袋のうちの互いに隣り合う手袋が、手袋を互いから分離するように破断可能であるそれぞれの第１の脆性連結部によって互いに連結される、複数の手袋と、
各手袋の開いた履き口を形成するように、第１の脆性連結部に交差して配置される手袋縁部と、を備え、各手袋の少なくとも１つの指部が、手袋の隣り合う指部または親指部に、第１の脆性連結部とは別の脆性連結部によって連結され、別の脆性連結部は、手袋の互いに連結された指部または互いに連結された指部及び親指部を、互いから分離するように破断可能である、使い捨て手袋のパッケージが提供される。
【０００６】
典型的には、手袋の互いに連結された指部または互いに連結された指部及び親指部は、別の脆性連結部によって互いに対してすぐ隣に保持される。
典型的には、別の脆性連結部は、手袋の互いに連結された指部または互いに連結された指部及び親指部のそれぞれの外縁部の少なくとも一部を画定する。
【０００７】
典型的には、別の脆性連結部は、手袋の互いに連結された指部または互いに連結された指部及び親指部が互いに対して自由に動くのを可能にするように破断可能である。
典型的には、手袋の指部の各々は、上記別の脆性連結部によって手袋の隣り合う指部または親指部に連結される。
【０００８】
典型的には、第１の脆性連結部は、一つの手袋の親指部または小指部を、列内で当該手袋に隣り合う手袋の小指部または親指部に接合する。
典型的には、第１の脆性連結部は、手袋の親指部を、隣り合う上流側の手袋の小指部に接合する。
【０００９】
少なくともいくつかの実施形態では、第１の脆性連結部は、手袋縁部から手袋の親指部の上方部へと延在し、かつ隣り合う手袋の小指部の下方部へと延在する。
典型的には、列の中の各手袋は、さらにウェブ部を備え、ウェブ部は、手袋の手のひら部の一方の側から、当該手袋を隣り合う上流側の手袋に連結する第１の脆性連結部へと延在する。
【００１０】
列の中の手袋は、手のひら部の上記一方の側と反対の側から、下流側の手袋に手袋を連結する第１の脆性連結部へと延在する別のウェブ部も備えてもよい。
少なくともいくつかの実施形態では、列の中の各手袋は、１つまたは複数の機械位置合わせガイド部を有してもよい。機械位置合わせガイド部は、たとえば、手袋の各ウェブ部に配置される少なくとも１つのガイド開口を備えてもよい。
【００１１】
本発明の別の態様では、
列をなして互いに接合される複数の手袋であって、手袋のうちの互いに隣り合う手袋が、手袋を互いから分離するように破断可能である第１の脆性連結部によって互いに連結される、複数の手袋と、
各手袋の開いた履き口を形成するように、第１の脆性連結部に交差して配置される手袋縁部と、を備え、手袋の指部の各々が、手袋の隣り合う指部または親指部に、第１の脆性連結部とは別の脆性連結部によって連結され、別の脆性連結部は、手袋の互いに連結された指部および互いに連結された指部及び親指部を、互いから分離するように破断可能である、使い捨て手袋のパッケージが提供される。
【００１２】
本発明の別の態様では、上記手袋の少なくとも１つの指部が、手袋の隣り合う指部または親指部に脆性連結部によって連結され、脆性連結部は、手袋の互いに連結された指部または互いに連結された指部及び親指部を、互いから分離するように破断可能である、使い捨て手袋が提供される。
【００１３】
本発明の別の態様では、手袋の指部の各々が、手袋の隣り合う指部または親指部に別の脆性連結部によって連結され、別の脆性連結部は、手袋の互いに連結された指部および互いに連結された指部及び親指部を、互いから分離するように破断可能である、使い捨て手袋が提供される。別の態様では、手袋を供給するための手袋供給装置と組み合わせられた、本発明によって具体化される使い捨て手袋のパッケージが提供される。
【００１４】
本発明の別の態様では、使用者の手への手袋の衛生的な位置決めを可能にする供給装置であって、
連続的な手袋の列を格納するための格納部であって、手袋のうちの互いに隣り合う手袋が、手袋を互いから分離するように破断可能である第１の脆性連結部によって互いに連結され、各手袋が、第１および第２の層から形成され、手袋の開いた履き口を形成するように第１の脆性連結部に交差して配置される手袋縁部を有する、格納部と、
手袋の列を送り出して、列の端部の手袋を供給装置の手挿入ゾーンに配置する、手袋列送り機構と、
粘着性表面を含む手袋開口システムであって、粘着性表面を端部の手袋の第１および第２の層に付着させるように、粘着性表面を第１及び第２の層に接触させ、その後、手挿入ゾーンにおいて使用者が手袋の開いた履き口に自身の手を挿入することを可能にするように端部手袋の付着させた第１および第２の層を互いから引き離すように動作可能である、手袋開口システムと、を備える、供給装置が提供される。
【００１５】
典型的には、装置の手袋開口システムは、手挿入ゾーンに配置される。
典型的には、手袋開口システムは、一対の手袋開口要素を備え、一対の手袋開口要素の各々が、その内側面に粘着性表面を有し、手袋開口システムは、粘着性表面と手袋の対応する第１及び第２の層との接触を生じさせるように一対の手袋開口要素の少なくとも一方の手袋開口要素を、一対の手袋開口要素の他方に向かって動かし、それによって手袋の第１及び第２の層は粘着性表面に付着し、次いで、付着した第１及び第２の層を互いから分離するように上記少なくとも一方の手袋開口要素を他方の手袋開口要素から離れるように動かし、それによって手袋を開くように動作可能である。
【００１６】
手袋開口要素の片方または両方は、取外し可能でもよい。これにより、手袋開口要素が、汚れを落とすために取り外されるかまたは新しい手袋開口要素で定期的に交換されることが可能になる。
【００１７】
少なくともいくつかの実施形態では、粘着性表面は、各手袋開口要素上のコーティングによって提供される。
他の実施形態では、粘着性表面は、手袋開口要素の取外し可能なグリップ部の表面である。
【００１８】
典型的には、手袋開口要素は、一対のアームを備え、一対のアームは、互いに対して対向して設けられており、粘着性表面と手袋の第１及び第２の層とを接触させるように互いに向かって動かされ、その後、手袋を開くように互いから離れるように動かされるように動作可能である。
【００１９】
典型的には、手袋列送り機構は、手袋供給装置の手挿入ゾーンへと下方に手袋の列を送り出すように構成される。
典型的には、手袋列送り機構は、手袋の列を受けるように動作可能な一対の対向するローラーを備え、ローラーのうちの少なくとも一方は、供給装置の手挿入ゾーンに手袋のうちの端部の手袋を配置するように手袋の列を送り出すように駆動可能である。
【００２０】
典型的には、手袋の列がローラーの動作によって送り出されるとき、ローラーは、供給装置の中で固定位置に保持されるように構成される。
典型的には、手挿入ゾーンに向かって手袋の列を送り出すローラーの動作に先立って、ローラーは、連続的な手袋の列がローラー同士の間に送られるのを可能にするように互いから分離可能である。
【００２１】
典型的には、本発明によって具体化される供給装置は、手挿入ゾーンへと手袋の列を送り出すようにローラーのうちの少なくとも一方を駆動するモータをさらに備え、供給装置は、モータが作動されることになる速度および時間のうちの少なくとも一方を決定するように各手袋の指標部を読み取るように動作可能である。
【００２２】
少なくともいくつかの実施形態では、本明細書に記載される手袋供給装置は、手袋のパッケージを、供給装置において使用するための正規のパッケージとして認識するための認識システムをさらに備えてもよく、認識システムは、パッケージの情報符号化装置を照会して情報符号化装置から情報を取得し情報を処理してパッケージを正規のパッケージと識別する照会システムを備える。
【００２３】
パッケージに情報符号化装置（たとえばＲＦＩＤタグ、ＱＲコード （登録商標）またはバーコード）が提供されていないかまたは情報符号化装置から取得された情報が認識されない場合、パッケージは、手袋の正規の（たとえば純正の）パッケージではないと判定され得る。この例において、装置は、上記パッケージでは動作しない（たとえば、パッケージから手袋を供給しない）ように構成されてもよい。
【００２４】
本発明の別の態様では、使用者の手への手袋の衛生的な配置のための供給装置であって、粘着性表面を含む手袋開口システムを備え、手袋が、第１および第２の層から形成され、手袋開口システムが、粘着性表面が手袋の第１および第２の層に付着するように第１および第２の層に粘着性表面を接触させ、その後、手袋を開いて使用者が手袋に自身の手を挿入することを可能にするように、手袋の付着した第１及び第２の層を互いから引き離すように動作可能である、供給装置が提供される。
【００２５】
本発明の別の態様では、使用者の手への手袋の衛生的な配置を可能にする供給装置であって、
連続的な手袋の列を格納するための格納部であって、手袋のうちの互いに隣り合う手袋が、手袋を互いから分離するように破断可能である第１の脆性連結部によって互いに連結され、各手袋が２つの層から形成され、かつ、手袋の開いた履き口を形成するように脆性連結部に交差して配置される手袋縁部を有する、格納部と、
連続的な手袋の列を受けるように動作可能な一対のローラーを備える手袋列送り機構であって、ローラーのうちの少なくとも一方が、供給装置の手挿入ゾーンに手袋のうちの端部の手袋を配置するように手袋の列を送り出すように駆動可能である、手袋列送り機構と、
端部の手袋の２つの層を分離させ、それによって使用者が手袋の開いた履き口に自身の手を挿入することを可能にするように動作可能な手袋開口システムとを備える、供給装置が提供される。
【００２６】
本発明の別の態様では、手への手袋の衛生的な配置方法であって、
手袋の供給のための供給装置に使い捨て手袋を装填するステップであって、各手袋が、第１および第２の層から形成され、供給装置が、粘着性表面を含む手袋開口システムを備え、手袋開口システムが、粘着性表面が手袋の第１および第２の層に付着するように、第１及び第２の層に粘着性表面を接触させ、その後、手袋の付着した第１及び第２の層を互いから引き離して、使用者が手袋の開いた履き口に自身の手を挿入することを可能にするように動作可能である、ステップと、
供給装置の手袋開口システムを作動させるステップであって、それにより、手袋開口システムの粘着性表面が、手袋の第１および第２の層に付着し、手袋への使用者の手の挿入のために第１及び第２の層を互いから引き離して手袋を開く、ステップと、を含む、方法が提供される。
【００２７】
本発明の別の態様では、手袋のパッケージから手袋を供給するための手袋供給装置の手袋開口要素であって、手袋の各々は、第１および第２の層から形成され、パッケージの手袋は、列をなして互いに接合され、手袋のうちの互いに隣り合う手袋が、手袋を互いから分離するように破断可能な脆性連結部によって連結され、手袋開口要素が、使用時に列の端部の上記手袋に一時的に付着する粘着性表面を備える支持体を備えており、支持体が、手袋供給装置に取り付けられて、手袋の対応する上記層に接触するように動くように構成され、それにより、手袋供給装置の動作中、粘着性表面が、その手袋の対応する層に付着し、手袋の他方の層に対する支持体の相対運動によって手袋を開く、手袋開口要素が提供される。
【００２８】
本発明の別の態様では、手袋のパッケージから手袋を供給するための手袋供給装置の手袋開口要素であって、手袋の各々は、第１および第２の層から形成され、パッケージの手袋は、列をなして互いに接合され、手袋のうちの互いに隣り合う手袋が、手袋を互いから分離するように破断可能な脆性連結部によって連結され、手袋開口要素が、使用時に列の端部の上記手袋に一時的に付着する粘着性表面を備えた支持体を備えており、支持体が、手袋供給装置に取り付けられるように構成され、粘着性表面が、支持体に配置され、手袋開口要素は、別の粘着性表面を有する供給装置の別の手袋開口要素と共に、動かされて手袋に接触するように動作可能であり、それにより、手袋の各層が、手袋開口要素の粘着性表面のそれぞれに付着し、手袋開口要素のうちの少なくとも一方が他方の手袋開口要素から遠ざかるように動かされた際、手袋の開いた履き口への使用者の手の挿入のために、付着した各層が、供給装置の動作により互いから引き離されて手袋を開く、手袋開口要素が提供される。典型的には、手袋開口要素の支持体は、上方部分と、上方部分から延在する後方に向けられた下方部とを備えて、手袋の列に並んで設けられ、粘着性表面を提供する。
【００２９】
少なくともいくつかの実施形態では、粘着性表面は、支持体に施される粘着性コーティングの表面である。他の実施形態では、粘着性表面は、手袋開口要素の支持体に取り付けられるグリップ部によって提供されてもよい。少なくともいくつかの形態では、グリップ部は、たとえば、上述のように手袋に接触するための粘着性コーティングを有するテープ、ストリップ、パネル、またはスリーブから選択されてもよい。
【００３０】
したがって、本発明のさらに別の態様では、手袋のパッケージから手袋を供給するための手袋供給装置の手袋開口要素の支持体に取り付けられるように構成されるグリップ部であって、手袋は、列をなして互いに接合され、手袋のうちの隣り合う手袋が、手袋を互いから分離するように破断可能な脆性連結部によって連結され、グリップ部が、手袋の層に接触するように配置される粘着性表面を有して、供給装置の手袋開口動作中、粘着性表面に手袋の層を一時的に付着させて、開いた手袋への使用者の手の挿入を可能にする、グリップ部が提供される。
【００３１】
本発明の別の態様では、本明細書に記載される手袋供給装置のための手袋開口要素の支持体と組み合わせられたグリップ部が提供される。
手袋を供給するための、本発明によって具体化される供給装置は、供給装置のハウジングの中に配置されて紫外線光で手袋を処理する少なくとも１つの紫外線（ＵＶ）光源もさらに備えてもよい。
【００３２】
別の態様では、供給装置のハウジングの中に配置されて紫外線光で手袋を処理する少なくとも１つの紫外線（ＵＶ）光源を備える、手袋を供給する装置が提供される。
少なくともいくつかの実施形態では、ハウジングは、カバーを含み、ＵＶ光源は、カバーの下に取り付けられて、ハウジングのカバーが閉じられたとき、手袋に照射する。
【００３３】
典型的には、ＵＶ光源は、手袋供給装置のハウジングの中に取り付けられ、それにより、供給装置の手挿入ゾーンは、ＵＶ光源の使用の際、少なくとも部分的には紫外線光から遮られる。
【００３４】
本発明の別の態様では、使用者の手への手袋の衛生的な配置方法であって、
手袋の供給のための供給装置に使い捨て手袋のパッケージを装填するステップであって、パッケージが、列をなして互いに接合される複数の手袋を備え、手袋のうちの互いに隣り合う手袋が、手袋を互いから分離するように破断可能な第１の脆性連結部によって互いに連結され、手袋縁部が、第１の脆性連結部に交差して配置されて各手袋の開いた履き口を形成し、各手袋の少なくとも１つの指部が、手袋の隣り合う指部または親指部に、第１の脆性連結部とは別の脆性連結部によって連結され、別の脆性連結部は、手袋の互いに連結された指部または互いに連結された指部及び親指部を、互いから分離するように破断可能であり、各手袋が、第１および第２の層から形成される、ステップと、
手袋の列から手袋を供給するための装置を作動させるステップであって、供給装置が、手袋の列を送り出して供給装置の手挿入ゾーンに列の端部の手袋を配置する手袋列送り機構と、粘着性表面を含む手袋開口システムと、を備え、手袋開口システムが、粘着性表面が端部の手袋の第１および第２の層に付着するように、第１および第２の層に粘着性表面を接触させ、その後、手袋の付着した第１および第２の層を互いから引き離して使用者が手袋の開いた履き口に自身の手を挿入することを可能にするように動作可能である、ステップとを含む、方法が提供される。
【００３５】
本発明のさらに別の態様では、手袋の衛生的な供給方法であって、
手袋の供給のための供給装置に装填されるための、使い捨て手袋のパッケージを提供するステップであって、パッケージが、列をなして互いに接合される複数の手袋を備え、手袋のうちの互いに隣り合う手袋が、手袋を互いから分離するように破断可能な第１の脆性連結部によって互いに連結され、手袋縁部が、各手袋の開いた履き口を形成するように第１の脆性連結部に交差して配置され、各手袋の少なくとも１つの指部が、手袋の隣り合う指部または親指部に、第１の脆性連結部とは別の脆性連結部によって連結され、別の脆性連結部は、手袋の互いに連結された指部または互いに連結された指部及び親指部を、互いから分離するように破断可能であり、各手袋が、第１および第２の層から形成される、ステップと、
供給装置に使い捨て手袋のパッケージを装填するステップと、
手袋の列から手袋を供給するための装置を作動させるステップであって、装置が、手袋の列を送り出して装置の手挿入ゾーンに列の端部の手袋を配置する手袋列送り機構と、粘着性表面を含む手袋開口システムとを備え、手袋開口システムは、粘着性表面が手袋の第１および第２の層に付着するように、第１および第２の層に粘着性表面を接触させ、その後、手袋の付着した第１および第２の層を互いから引き離して使用者が手袋の開いた履き口に自身の手を挿入することを可能にするように動作可能である、ステップとを含む、方法が提供される。
【００３６】
本発明がそれに限定されることはないが、典型的には、本明細書に記載される使い捨て手袋のパッケージは、手袋のロールである。たとえば、使い捨て手袋のパッケージは、手袋が隣同士に折り畳まれるように蛇腹状にパッケージの中に配置されて使用時に手袋のパッケージから連続的に引き出される、本発明によって具体化される手袋供給装置に提供または利用されてもよい。
【００３７】
さらに、本発明によって具体化される、または本発明による供給装置から供給される手袋は、使用する右手でも左手でも着用され得る（すなわち同じ手袋が使用者の右手でも左手でも着用され得る）「左右兼用（ｎｏｎ−ｈａｎｄｅｄ）」手袋でもよい。典型的には、本明細書に記載される使い捨て手袋のパッケージの中の隣り合う手袋は、手袋同士の間の第１の脆性連結部が一方の手袋の小指部を他方の手袋の親指部から分離するように構成される。この構成は、手袋が、本発明によって具体化される供給装置により、手袋の開いた履き口が使用者に向いた状態で対応する垂直の向きで差し出されたとき、使用者が、自身の手が「親指が上」になった向きで、各手袋にそれぞれの手を挿入することができ、手袋を簡単に着用することが可能になるので、特に望ましい。しかし、手袋は、以下に例示されるような他の構成で、手袋の列に配列されてもよい。
【００３８】
手袋の「小指部」は、手袋のその指部の長さが手袋の他の指部または親指部よりも短かろうとそうでなかろうと、使用者の手の（小指（ｄｉｇｉｔｕｓ  ｍｉｎｉｍｕｓ  ｍａｎｕｓ）としても知られている）第５指を受けるかまたは受けるように構成される、手袋の端部の指部を意味する。
【００３９】
同様に、手袋の「親指部」は、使用者の手の親指を受けるかまたは受けるように構成される、手袋の端部の指部を意味する。
通常は、手袋は、顧客に給仕する間、食品を取り扱うとき、手袋を短時間の間たびたび着用し、次いで顧客から支払いを回収するために手袋を取り外して廃棄する必要がある、食品関連産業、またはデリカテッセン、サンドイッチバー、菓子屋などで働く人々によって使用するのに適した、ゆったりとフィットする軽量の「サンドイッチ」タイプの手袋である。しかし、手袋は、種々の適した従来から知られている材料から製作されてもよく、多種多様な状況または目的のために使用されてもよい。有利には、本明細書に記載される手袋供給装置の実施形態による手袋の開口および提示は、手袋の慣例的な着用のように使用者が使用者の他方の素手で手袋を取り扱うことが必要であるとき、普通なら起こり得る、手袋の外表面の汚染を減らす、または防止することができる。したがって、食品、または使用者によって取り扱われることになるあらゆるものの汚染のリスクも下げられ得る。
【００４０】
やはり有利には、本明細書に記載される１つまたは複数の実施形態の手袋供給装置は、手袋の比較的素早い着用を可能にすることができ、かつ普通なら互いに絡まって、複数の手袋が箱から一緒に引き出された場合無駄な消耗の原因となる場合がある、箱に入った単一のばら詰めの手袋の使用を避けることができる。さらに、本明細書に記載される供給装置は、構造および動作が比較的単純であり得る。
【００４１】
本発明の他の態様、特徴、および利点は、本発明の非限定的な実施形態の以下の詳細な説明が添付図面と一緒に読まれるとき、その詳細な説明から、さらに明らかになろう。
【図面の簡単な説明】
【００４２】
【図１】従来技術の連続的な手袋の列を示す平面図である。
【図２】図１の手袋の列の手袋を示す側面図である。
【図３】図１の手袋の列の手袋パネルの拡大平面図である。
【図４】本発明によって具体化される連続的な手袋の列を示す平面図である。
【図５】手袋のロールの形をとる、本発明によって具体化される使い捨て手袋のパッケージの側面図である。
【図６】第１および第２の手袋層からの本発明の手袋の列の製作を示す、概略側面図である。
【図７】本発明によって具体化される手袋供給装置の前方斜視図である。
【図８】図７の手袋供給装置の構成要素を示す図である。
【発明を実施するための形態】
【００４３】
図１は、従来技術の連続的な手袋の列１０を示す。図２に示されるように、手袋の列１０は、第１の層１８および第２の層２０から形成され、第１の層１８および第２の層２０は、各手袋１１の手部の周辺部１１ａを画定するヒートシール接合部によって互いに接合される。
【００４４】
図１に示される手袋１１は、（すなわち２つの層１８および２０によって形成される）長方形の手袋パネル２５の形をとり、それぞれの第１の脆性連結部２６によって互いに連結される。好ましくは、第１の脆性連結部２６は、ミシン目付き切取り線を備え、その結果、手袋パネル２５を分離するように、１度につき１枚の手袋が、列１０の端部から切り離され得る。
【００４５】
手袋パネル２５は、対向する縁部２７および２９を有し、これらは、各手袋の手部の周辺部１１ａを画定する接合部が縁部２７および２９と交わるかまたは接触する場所を除いて互いに連結されず、これによって各手袋の開いた履き口３０を画定する。示される実施形態の縁部２９には玉縁（換言すれば、ビード）が付けられ、その結果、各手袋１１の開いた履き口は、手袋のそれぞれの層１８および２０の縁部に沿って、隆起した玉縁３１を有し、手袋のその部分をいくらか補強する。
【００４６】
図３は、手袋パネル２５の拡大図である。図示されるように、層１８および２０から形成されるウェビング３５が、各手袋の手部の周辺部１１ａを画定する接合部の外方に提供される。ウェビング３５は、各手袋の指部および親指部も隔て、したがって各パネル２５の大部分をなす。図１に示される手袋の設計の欠点は、使用する際に、ウェブ３５が使用者の指部の動きを制限する場合があることであり、さらに、ウェビング３５に取られる空間のほとんどが、無駄な材料となることである。
【００４７】
ここで図４に目を向けると、本発明の一実施形態による連続的な手袋の列５０が示されている。手袋の列のそれぞれの手袋パネル２５は、上述の従来技術の手袋の列と同じ方式で２つの層１８、２０から形成され、隣り合う手袋パネル２５は、それぞれの第１の脆性連結部２６によって互いに連結される。しかし、上記の従来技術の設計とは対照的に、手袋の指部１１ｂおよび親指部１１ｃの間に設けられるウェビングは存在しない。代わりに、今述べられている実施形態の指部１１ｂおよび親指部１１ｃは、互いに対してすぐ隣りに設けられ、手袋の各指部は、それぞれのミシン目付き切取り線の形をとる対応する別の脆性連結部５２によって、隣り合う指部または親指部に連結される。さらに、ウェビング３５ａおよび３５ｂは、各手袋の手のひら部３１の両側にのみ提供される。
【００４８】
やはり示されているように、各手袋の親指部１１ｃの外縁部１１ｄは、対応する第１の脆性連結部２６によって画定され、第１の脆性連結部２６は、隣り合う上流側の手袋１１の小指部１１ｂの下方部の外縁部も画定する。
【００４９】
図４に示される手袋の具体的な特徴は、それぞれの別の脆性連結部５２が、使用者が自身の手を広げることによって容易に破断され得、それによって手袋の指部１１ｂおよび親指部１１ｃのそれぞれが分かれ、それによって指部および親指部の互いに対する自由な運動が可能になるということである。さらに、パネル２５により、上述の従来技術の設計よりも連結ウェビング３５ａおよび３５ｂの量が著しく少なくなり、各パネルのサイズを小さくすることが可能になり、その結果、材料が大幅に節約され、したがって生産コストが大幅に節約される。
【００５０】
図４に示される手袋の列は、図５に示されるように、ロール１５などの手袋のパッケージの形をとって提供されてもよい。他の実施形態では、パッケージは、蛇腹状に隣同士になった手袋の列の層を備えてもよく、手袋の他のコンパクトなパッケージング機構を備えてもよい。
【００５１】
図４に戻ると、各パネル２５は、ウェビング３５ｂに提供される位置合わせ穴３３を備える２つの機械位置合わせガイド部の形をとる指標部を組み込み、位置合わせ穴３３は、以下により詳細に記述されるように、種々の機械駆動パラメータを決定するために、手袋を供給するための手袋装着装置によって読取り可能である。しかし、装置によって利用されるセンサに応じて、別の記号／印、および／またはこうした機械位置合わせガイド部の他の形態が手袋の列５０に提供されて、手袋装着装置による駆動パラメータ認識を助けてもよいことが理解されよう。
【００５２】
図６は、手袋のパッケージの形成法の一例を概略的に示す。より具体的には、手袋層１８および２０は、層材料の供給ロール５４および５５から供給され、１組または複数組のアイドラローラー５６の周りをヒートシールステーション５３へと案内される。ヒートシールステーション５３では、各手袋１１の手部の周辺部１１ａを画定する接合部が、従来の方式で、熱を加えて層１８および２０を互いに熱溶着することによって形成される。接合された層１８および２０は、次いで、切断および穿孔ステーション５７へと間欠送りされ、ここで、機械位置合わせガイド穴３３と同様に、それぞれのミシン目付き脆性連結部２６および５２が形成される。別法として、各手袋の手部の周辺部１１ａを画定する接合部は、脆性連結部２６および５２ならびに無駄な層材料の切断および除去と同じステップまたはステーションで形成される。
【００５３】
形成された手袋の列５０は、次いで、（たとえば紙またはプラスチック材料から製作される）ロール芯に巻かれて、図５に示される手袋のパッケージ１５を形成する。図６に示される装置は概略図であり、したがって単なる例示にすぎず、また手袋のパッケージを形成するために利用される機械のすべての構成部品を示すことは意図されておらず、任意の適したシステムが利用され得ることを理解されたい。
【００５４】
図７および図８は、使用者による上述の手袋の衛生的な着用のための、本発明によって具体化される手袋供給装置６０を示す。
示されるように、装置６０は、ハウジング６１を備え、ハウジング６１は、ハウジングの蝶番式カバー６５の下でシャフト６４を支持する。シャフト６４は、手袋１１のロール１５を受ける。ハウジング６１の中に位置決めされる手袋列送り機構６６は、（すなわちロール１５としてパッケージ化された）手袋列５０の端部の手袋を受け、それを実質上鉛直下方に手挿入ゾーン６８へと送るように動作可能である。
【００５５】
数字７０で全体を示される装置を備える手袋開口システムは、ハウジング６１の前方開口６９に隣り合う手挿入ゾーン６８に位置決めされる。手袋開口装置７０は、１対の、間隔を空けられた手袋開口要素を備え、手袋開口要素は、アーム８０ａ、８０ｂの形をとる支持体を備え、アーム８０ａ、８０ｂは、互いに対向して設けられ、手袋に使用者の手を挿入するためにアーム同士の間に手袋が配置されたとき、ロールの端部の手袋の履き口の手袋層を分離するように動作可能である。アーム８０ａおよび８０ｂのそれぞれは、直立部分８１と、直立部分から延在する、後方に向けられた下方部７９とを備えるＬ字形状であって、シャフト６４の下に、したがって手袋のロール１５の下に設けられる。したがって、使用時、手袋の列は、列の端部の手袋を開くために、アームの、後方に突出している下方部同士の間に垂れ下げられる。
【００５６】
より詳細には、また図８を特に参照すると、手袋列送り機構６６は、１対のローラー７２ａおよび７２ｂを備える。ローラー７２ａは、モータ７４によって駆動され、モータ７４は、ウォームギアを備えるウォーム駆動装置の形をとる減速機機構によってローラーに連結され、ウォームギアは、ローラー７２ａの後端部に取り付けられ、モータが直接連結されるウォームスクリューによって駆動される。モータ７４は、任意の適したタイプのもの（たとえばＡＣモータ、ＤＣモータ、またはステッピングモータ）でもよく、ローラー７２ｂは、その場で自由に回転する。ばね荷重レバー機構７８により、ローラー７２ａおよび７２ｂが互いから離れるように動かされ、それらの間に手袋列を受けることが可能になる。閉位置に戻ると、ローラー７２ａおよび７２ｂは手袋列５０をグリップし、手袋の列を送り出す。代替の一構成では、追加的に、または別法として、ローラー７２ｂが駆動されて手袋列を送り出してもよい。たとえばローラー７２ａとローラー７２ｂがどちらも駆動されることになる場合、ローラー７２ａ、７２ｂの回転を同期させるために、追加的なギアがローラー７２ｂの端部に取り付けられ、ウォームギア駆動ローラー７２ａと噛み合わせられてもよく、その結果、ローラー７２ａ、７２ｂは、互いにそろって、しかし反対方向に回転する。
【００５７】
上述のように、ハウジング６１は、また、１対のアーム８０ａ、８０ｂを備える手袋開口装置７０と、数字８４で全体を示される駆動組立体（図８参照）とを支持する。アーム８０ａ、８０ｂは、手挿入ゾーン６８の中で、ローラー７２ａ、７２ｂの下に設けられる。使用時、手袋列５０は、アーム８０ａ、８０ｂの間に垂れ下がるように、ロール１５から数字８５で全体を示されるガイドを通って送られ、その結果、列の端部の手袋１１は、アーム８０ａ、８０ｂのそれぞれの下端部の間に位置決めされる。各アーム８０ａ、８０ｂの上端部８２は、ラック７５に連結される。
【００５８】
示される実施形態では、駆動組立体８４はステッピングモータ８６を備え、ステッピングモータ８６は、リンク部８８および８９に連結される別のギア８７に噛み合わせられる歯車７６を備えるギア機構を駆動するように構成される。図８に最もよく示されるように、リンク部８８はアーム８０ａに連結され、リンク部８９はアーム８０ｂに連結され、その結果、ステッピングモータ８６の動作によってギア８７が回転されるとき、リンク部８８および８９は、互いに対して反対方向に前後に動かされて、最初はアーム８０ａおよび８０ｂを互いに向かって引き寄せ、列の端部の手袋に接触させて手袋をグリップし、次いで、アームを互いから離れるように動かして手袋を開く。
【００５９】
しかし、各アームに連結され、それぞれ延出および後退して、上述のように互いに向かって、また互いから遠ざかるようにアームを動かす空気圧ピストンを利用することによってなど、グリップ動作を行うために任意の適した組立体が利用されてもよいことが理解されよう。
【００６０】
列の端部の手袋を開くために、各アーム８０ａおよび８０ｂの下方部は、数字８３で全体を示される粘着性内側表面を有して、アームが駆動組立体８４によって動かされて手袋に接触するとき、それらの間に位置決めされる手袋列の端部の手袋の層１８および２０の各外側面に一時的に付着する。
【００６１】
示される実施形態では、粘着性表面は、各アーム８０ａおよび８０ｂの内側面９０に直接コーティングされる粘着性物質８３によって実現される。理解されるように、粘着性物質は、手袋層のそれぞれが、対応するアーム８０ａまたは８０ｂに粘着するのに十分に粘着性であり、その結果、その後にアームが駆動組立体８４によって互いから離れるように動かされるとき、手袋層１８と手袋層２０は引き離され、それによって手袋の履き口が開かれる。
【００６２】
手袋を開ける動作が繰り返された後、粘着性物質が摩耗することにより、または表面に貼り付いている屑のために、アームにコーティングされる前述の粘着性物質の粘着性が徐々に低下する可能性があるので、アーム８０ａまたは８０ｂは、取り外され、その内側面９０に粘着性物質の未使用のコーティングを有する新しいアーム８０ａおよび８０ｂで交換されてもよい。別法として、各アームは、手袋供給装置から定期的に取り外され、粘着性表面に蓄積されている望ましくない異物を取り除くために、洗浄されるかまたは汚れを落とされてもよい。
【００６３】
別の実施形態では、粘着性物質８３は、適した接着剤、Ｖｅｌｃｒｏ（登録商標）フックおよびループテープ、スナップ、または他の適した機械的締結具などによって、対応するアーム８０ａまたは８０ｂの後方に向けられた下方部の内側面９０に固定される（たとえば取外し可能に取り付けられる）粘着性のテープ、ストリップまたはパネルなどのグリップ部にコーティングされるかまたは提供されてもよい。したがって、使用に伴い、時が経つにつれて粘着性表面の粘着性が低下したとき、テープ、ストリップ、またはパネルは、各アームから簡単に外されるかまたは剥がされ、未使用の粘着性テープ、または未使用の粘着性ストリップもしくはパネルで交換され得る。
【００６４】
特に好ましい一実施形態では、上述のように端部の手袋のそれぞれの層１８または２０に付着する粘着性表面は、各アーム８０ａまたは８０ｂの後方に向けられた下方部に嵌合される各スリーブの内側面にコーティングされる粘着性物質によって提供されてもよい。この実施形態では、スリーブのそれぞれは、アーム８０ａおよび８０ｂから簡単に取り外され、新しいスリーブで交換されて、手袋が定位置へと連続的に送られてアーム８０ａおよび８０ｂの動作によって開かれるとき、アームに手袋層が引き続き付着し、列の手袋が開くのを確実にすることができる。スリーブは、アーム上での摩擦嵌合によって、またはスリーブの内壁表面に取り付けられて、各アーム８０ａ、８０ｂに締結されるループテープに係合するように位置合わせされる、Ｖｅｌｃｏ（登録商標）フックテープストリップの提供など、任意の適当な締結システムによって、アーム８０ａ、８０ｂの所定の位置に保持され得る。
【００６５】
使用時、アーム８０ａおよび８０ｂ、またはグリップ部（たとえば上述のような粘着性のテープ、ストリップ、パネル、またはスリーブなど）は、列のすべての手袋を開くのに十分な粘着性を概ね保持し、好都合には、手袋の新しいロールが手袋供給装置に装填されるのと同時に、取り外され、交換されてもよい。特に好ましい実施形態では、交換用グリップ部が、それぞれの新しい手袋のロールと共に提供される。
【００６６】
アームの粘着性表面の粘着性は、手袋をグリップして開くことを可能にするレベルの粘着性であり、かつ使用者が装置６０から自身の手を引き抜くとき、手袋が製作されている材料が破れることなしに、または使用者が手袋を着用された状態で装置から自身の手を引き抜くとき、手袋を粘着性表面から剥がすために無理のない程度を越えた力が必要とされることなしに、手袋が粘着性表面から容易に外れるのを可能にするレベルの粘着性であることも、さらに理解されよう。たとえば取外し可能なステッカーおよびラベルの接着剤として従来から使用されているコーティングなどの任意の適した知られているコーティングも利用されてもよいが、コーティングとして利用され得る、または手袋を開くためにアームに粘着性表面を提供するために利用され得る、適した粘着性物質のいくつかの非限定的な例には、たとえば、市販のケイ素コーティング、ポリウレタンコーティングおよびエポキシコーティング、ゲル、ならびに接着剤（たとえば、Ｓｉｌｐｕｒａｎ（登録商標）２１１０Ａ／Ｂシリコーンゲル、Ｗａｃｋｅｒ  Ｃｈｅｍｉｅ  ＡＧ、Ｍｕｎｉｃｈ、Ｇｅｒｍａｎｙ）が含まれる。
【００６７】
供給装置６０の動作は、以下の通りである。初期のステップとして、装置にロールを装填するために手袋１１のロール１５がシャフト６４にはめられ、蝶番式カバー６５を閉じる前に、上述のように、手袋の列がローラー７２ａとローラー７２ｂの間に位置決めされる。
【００６８】
数字９１によって全体を示されている供給装置の制御システムは、押しボタンの操作によって作動されるか、またはハウジングの蝶番式カバーの前方に設けられる制御システムの近接センサ１００により、使用者が自身の手をセンサにかざすことによって生成される信号によって作動される。制御システムは、間欠送り機構も含み、間欠送り機構は、ハウジング６１の内部に位置決めされ手袋パネルの位置合わせ穴３３の位置を検知して列の現在位置および追加的に手袋１１のサイズを決定するように動作可能な別のセンサ（図示せず）を備える。センサは、光学センサ、近接センサ、または任意の他の適したセンサの形態をとり、位置合わせ穴の間隔および／またはサイズパラメータを読み取ることができる。
【００６９】
制御システムの作動と共に、モータ７４が作動されて、駆動ローラー７２ａを回転させ、それにより、手袋の列１１が実質上鉛直下方に送られる。さらに、内部センサが位置合わせ穴３３を読み取り、手袋のサイズ、ならびにモータ７４の適当な制御（たとえばスピードおよび／または動作の継続時間）が制御システムによって決定される。制御システムによる決定に基づき、駆動ローラー７２ａは、手袋列５０の端部の手袋が、装置の手挿入ゾーンで、各アーム８０ａ、８０ｂの、後方に突出している下方部同士の間に位置決めされると止まるように制御される。他の実施形態では、手袋パネルには機械位置合わせガイド部（たとえば穴、記号、または他の印）が提供されなくてもよく、制御システムは、アーム８０ａとアーム８０ｂの間の所定の位置に端部の手袋を正確に位置決めするためのある所定の時間、かつある速度で、駆動ローラーを単に作動させるように構成されてもよい。
【００７０】
制御システムは、次いで駆動組立体８４を作動させ、その結果、ステッピングモータ８６が動作する。ステッピングモータ８６の動作により、アーム８０ａ、８０ｂは互いに向かって動かされ、それにより、アームに提供される粘着性表面８３は、端部の手袋１１の履き口の近傍で各層１８および２０に接触し、それにより、手袋層は、アーム同士の間に軽く挟まれ、アーム８０ａ、８０ｂの粘着性表面に付着する。モータがその間は上に述べられた手袋層のグリップ中と同じ方向に回転する、ステッピングモータ８６の継続的な動作に従って、アーム８０ａ、８０ｂは、リンク部８８および８９によって互いから離れるように動かされ、それにより、付着した手袋層は、互いから引き離され、それにより、各アームがそのそれぞれの初期の開位置へと戻る動きに従って、端部の手袋の履き口が開く。したがって、手袋は、使用者がハウジング６１の前方開口６９を通して手袋の中へと自身の手を挿入することができるように、手挿入ゾーンの中で開いた状態で保持される。
【００７１】
手袋を引き抜くためには、使用者は、短く比較的軽い引張りが手袋の列に及ぼされる動きを用いて、ハウジング６１の開いた底部６７を通して単に自身の手を下方に引き、列の中の次の上流側の手袋に手袋１１を連結する脆性連結部２６によって提供されるミシン目に沿って、列５０から端部の手袋を切り離す。したがって、使用者の手は、使用者が手袋の外側に触れる必要なしに、手袋が手の所定の位置にはめられた状態で装置から出される。
【００７２】
端部の手袋のみが手袋の列から切り離され、着用中および端部の手袋の取出し中、それ以上の長さの手袋列がロールから引き出されないことを確実にするために、列の中の、次の上流側の手袋は、ローラー７２ａおよび７２ｂのニップ同士の間にグリップされ、ローラー７２ａ（したがってローラー７２ｂ）は、回転を制限される。手袋が着用された使用者の手の取出しは、別の近接センサによって検知されてもよく、この近接センサは、制御システムに信号を提供して、使用者が自身の他方の手をその手袋に挿入するための別の手袋を送り、開くように、装置６０を作動させる。しかし、他の実施形態では、制御システムは、使用者によって手袋が着用されるために、上述のように新しい手袋が装置の手挿入ゾーンに位置決めされ、開かれるために、押しボタンまたは近接センサ１００が、使用者によって手動で押されるかまたは作動される必要があるように、全体として構成されることになる。
【００７３】
さらに、使用者が開いた手袋に自身の手を挿入するとき、使用者がアームの一方にぶつかってアームを離れさせるかまたはその他の方法でアームが無理に離された場合、アームが他方のアームから離れるある程度の相対運動を可能にするために、アーム８０ａおよび８０ｂの一方または両方は、それぞれ、付勢手段（たとえば適したばね機構）によって他方のアームに向かって通常の直立静止位置へと付勢されるように、ラック７５または供給装置の他の支持表面に蝶番式に連結されてもよい。
【００７４】
手袋が開かれると、手袋は、使用者の手を手袋に挿入しやすいように概して大きめのサイズである。通常、手袋は、顧客のための食品の取扱いおよび準備を必要とするサンドイッチバー、デリカテッセンおよび同様の食品小売店で一般的に使用される、また短時間のみ着用され、その後、次の顧客が給仕される前に取り外されて処分されるタイプの、軽量のサンドイッチ手袋であることになる。しかし、本明細書に記載されるように、手袋の着用のために、手袋の層が付着でき、引き離され得る、任意の適した手袋タイプが利用されてもよい。手袋は、たとえばポリエチレン（ＰＥ）でも、ビニール（ポリ塩化ビニル）でも、ニトリル（カルボキシル化ブタジエン−アクリロニトリル）でも、ポリエステルの手袋でもよい。典型的には、手袋は、軽量のポリエチレン（ＰＥ）手袋から選択されることになる。
【００７５】
アーム８０ａおよび８０ｂの粘着性表面は、手袋の履き口の近傍で端部の手袋１１に接触するので、利用される粘着性物質による、手袋の衛生的な作業表面の汚染のリスクは、最小限にされる、かつ／または避けられる。
【００７６】
衛生をさらに向上させるために、本発明による少なくともいくつかの手袋供給装置は、殺菌ＵＶ光（たとえば２００ｎｍから２８０ｎｍの波長範囲、好ましくは２５０ｎｍから２８０ｎｍの範囲のＵＶ光）を用いた、手袋の表面処理のために、ハウジングの中に提供される１つまたは複数の紫外線（ＵＶ）光源をさらに含んでもよい。ＵＶ光源は、たとえば、ＵＶランプまたはＵＶ発光ダイオード（たとえば、複数の、間隔を空けられたＵＶ放射ＬＥＤを含むＵＶ  ＬＥＤストリップ）から選択されてもよい。図示される実施形態では、手袋のロール１５に向いている、蝶番式カバー６５の下側に取り付けられたＵＶ  ＬＥＤストリップ１０５が示される。
【００７７】
安全上の理由で、ＵＶ光源は、典型的には、手挿入ゾーンにおいて手袋列の端部の手袋が開かれる間、また使用者の手が手挿入ゾーンに配置される間はオフにされる。やはり望ましくは、ＵＶ光源は、ハウジング６１の中に位置決めされ、その結果、手挿入ゾーンは、たとえば手袋のロールにより、少なくとも部分的には放射されたＵＶ光から遮られる。同様に、ＵＶ光源は、蝶番式カバーが閉じられているときにのみ動作することができる。さらに、少なくともいくつかの実施形態では、ＵＶ光源の動作の継続時間は、制御システムによって制御され、上述のように手挿入ゾーンから使用者の手が引き抜かれたことが近接センサによって検出されてから所定の時間を経た後でのみ、制御システムによってオンに戻され得る。しかし、ＵＶ光源の任意の安全動作モードが利用されてもよい。
【００７８】
手袋の列が装置の手挿入ゾーンへと下方に送られるとき、手袋の列での表面電荷の蓄積、およびその結果生じる、アーム８０ａまたは８０ｂのいずれかあるいは供給装置６０の他の構成要素に対する、列の望ましくない静電気引力が発生する可能性を低減または最小限にするために、手袋のロールは、接地されて列の電荷を逃がすことができる。
【００７９】
示される手袋供給装置は、手袋の列が手袋ロールから手挿入ゾーンへと実質上鉛直下方に送られるように構成されるが、手袋の列が、異なる方向にロール１５から送られ、たとえば実質的に水平な向きで手挿入ゾーンに存在する、他の実施形態が提供されてもよい。このようにして手袋を送る、こうした任意の適した手袋送り機構が利用されてもよい。理解されるように、この例では、使用時、対向するアーム８０ａおよび８０ｂも水平に向けられて、順次互いに向かって、また互いから離れるように動かされ、列の端部の手袋を開く。さらに、手袋の列５０の中の各手袋１１の親指部は、図４に示されるようにそれぞれの脆性連結部２６によって隣り合う上流側の手袋の小指部に連結されるのではなく、連続した対の手袋は、脆性連結部２６によって「親指部対親指部」で接合されてもよく、それにより、各手袋対の親指部は隣り合わせになり、各対の第２の手袋は、「親指部対小指部」構成で、対応する脆性連結部２６によって次の上流側の手袋対の第１の手袋に連結される。列の中の手袋の、（たとえば列の中の手袋の各対が「小指部対小指部」構成である）他の代替の構成も考えられ、あらゆるこうした実施形態は、本発明によって明示的に包含される。
【００８０】
しかし、本発明の実施形態では、典型的には、手袋の列の中のそれぞれの第１の脆性連結部２６は、ある上記手袋の親指部または小指部を、列の中の隣り合う手袋の小指部または親指部に接合することになる。したがって、それぞれの脆性連結部は、典型的には、手袋縁部２９から列の中のある手袋の親指部の上方部または小指部の下方部へと、かつ隣り合う手袋の小指部の下方部または親指部の上方部へと延在する。
【００８１】
さらに、上に例示される供給装置のアーム８０ａおよび８０ｂはＬ字形状であるが、種々の他の形状のアームも利用されてよいことが理解されよう。
本発明によって具体化される手袋供給装置の制御システムは、手袋のパッケージ１５が、供給装置において使用するための純正な正規のパッケージ（すなわちＯＥＭパッケージ）であるか、それとも純正でない二次的市場のパッケージであるかを認識するように構成される認識システムも備えてもよい。好ましい一実施形態では、装置は、パッケージを純正のパッケージであると認識した後でのみ、動作可能になり得る。このような一構成によれば、制御システム９１は、１つまたは複数の形態で、パッケージに位置決めされる情報符号化装置を照会するように動作可能な照会システムと通信することができるプロセッサを実装する。本明細書において、「プロセッサ」という用語は、プログラムされたコードに基づいて命令を処理することができる任意の装置を総称して指すために使用され、マイクロプロセッサ、マイクロコントローラ、プログラム可能な論理装置もしくは他の計算装置、汎用コンピュータ（たとえばＰＣ）、またはサーバが含まれ得る。
【００８２】
特定の一実施形態では、照会システムは、パッケージに位置決めされる（たとえば適した接着剤によってパッケージのロール芯に貼り付けられる）ＲＦＩＤタグ（たとえばＲＦＩＤスマートラベル）の形をとる情報符号化装置を読み取るように制御される、ＲＦＩＤ読取り装置を備える。ＲＦＩＤタグは、ＲＦＩＤ読取り装置によって読み取られ得る任意の所望の情報と共に符号化され得、その後、プロセッサにより、手袋の純正のパッケージ１５を表していると判断され得る。代替の一実施形態では、情報符号化装置は、パッケージ上に設けられプロセッサによって実行されるイメージスキャナによって読取り可能なＱＲコード （登録商標）またはバーコードを備えてもよい。たとえば、ＱＲコード （登録商標）またはバーコードが各手袋に印刷されてもよく、ＱＲコード （登録商標）またはバーコードを記載したラベルが、手袋の列が使用時に手袋の供給のために所定の位置へと送られるときにイメージスキャナによって読み取られる位置で、手袋のうちの少なくとも先頭の手袋に貼り付けられてもよい。しかし、手袋のパッケージ上での情報符号化装置の任意の適した配置または位置決めが、明示的に包含される。認識システムおよび情報符号化装置は、上述の形態に限定されると理解されるべきではなく、任意の適した電子的照会機構または電気機械的照会機構を備えてもよいことも理解されよう。
【００８３】
追加的に、制御システム９１は、（たとえばインターネットを介して）リモートシステムと通信して情報符号化装置から取り出された情報が手袋の純正のパッケージに関連付けられるかどうかを判定する、適した通信ハードウェアおよびソフトウェアをさらに含んでもよい。リモートシステムは、たとえば、サーバコンピュータシステムを実行して、制御システム９１との間で情報を送受信することができる。
【００８４】
さらに、制御システム９１は、プロセッサの制御の下で、手袋を注文する目的のために、リモートシステムと通信するように動作可能でもよい。たとえば、プロセッサは、手袋の新しいパッケージが供給装置に挿入されたとき、信号を検出および出力するセンサと通信可能でもよい。センサ信号の検出に応答して、プロセッサは、制御システム９１に、手袋の新しいパッケージが供給装置に挿入されたことを示すための情報をリモートシステムへと送らせることができる。情報の受信に応答して、リモートシステムは、（たとえば、情報と共に送信される住所または他の適した識別情報によって特定される）対応する手袋供給装置について登録された住所に手袋の１つまたは複数の新しいパッケージを発送する注文を生成する。少なくともいくつかの実施形態では、たとえば、リモートシステムは、ある時間（たとえば数日または数週間）の間に供給装置に挿入される手袋パッケージの数を数えるかまたは記録をとり、登録された住所へと適時に配達するために、１つまたは複数の新しい手袋パッケージ（たとえば新しい手袋パッケージの１つまたは複数の箱）の発送のための注文を出して、供給装置の登録された使用者が、使い捨て手袋を使い切らないこと、また使用者自身の必要のために利用できる十分な手袋のパッケージを有していることを確実にすることができる。
【００８５】
上記のことから、本発明による手袋および／または供給装置の少なくともいくつかの実施形態は、以下の利点のうちの１つまたは複数を提供することが理解されよう。
・手袋が各脆性連結部２６によって互いに連結されることにより、手袋が、ロールまたは使用の準備が整った他の適したパッケージ形態の形で容易に提供されることが可能になる。
【００８６】
・手袋の指部および／または親指部が別の脆性連結部５２によって連結されることにより、手袋は、開かれると、使用者によって容易に着用されることが可能になる。
・手袋は、使用者による着用のために、開いた状態で素早く便利に差し出され得る。
【００８７】
・本明細書に記載される整ったパッケージで手袋を提供することにより、従来技術のように複数の手袋が箱から同時に引き出されることが避けられる。
・手袋は、使用者が自身の素手で手袋の外側に触れることなしに、開かれて着用され得、それによって手袋の汚染のリスクを減らし、衛生を向上させる。
【００８８】
・手袋のパッケージは、手袋開口装置に素早く装填され得る。
・アーム８０ａおよび８０ｂならびに／または利用されている場合はアームの粘着性表面を提供するテープ、ストリップ、パネルまたはスリーブは、簡単かつ素早い交換のために容易に取外し可能であり、手袋供給装置が手袋の新しいパッケージで装填されるのと同時に交換され得る。
【００８９】
・手袋開口システムは、比較的少ない数の可動パーツを用いて、手袋を開くための洗練された解決策を提供する。
好ましい実施形態の前述の説明では、説明を明瞭にするために、特定の専門用語が使用されている。しかし、本発明は、そうして選択された特定の用語に限定されることは意図されておらず、それぞれの特定の用語は、同様の方式で動作して同様の技術的目的を達成する、あらゆる技術的均等物を含むことを理解されたい。「前方」および「後方」、「内」および「外」、「上」、「下」、「上方」および「下方」などの用語は、便宜上の言葉として使用されて基準点を提供しており、限定的な用語として解釈されるべきではない。
【００９０】
本明細書での任意の先行する刊行物または情報の参照は、先行する刊行物または情報が、本明細書が関係する努力傾注分野における技術常識の一部を形成するということの確認または承認または任意の形態の示唆ではなく、またそうであると解釈されるべきではない。
【００９１】
本明細書では、「備えている（ｃｏｍｐｒｉｓｉｎｇ）」という言葉は、その「オープン」な意味、つまり「含んでいる（ｉｎｃｌｕｄｉｎｇ）」の意味で理解されるべきであり、したがって、その「クローズド」な意味、つまり「のみから成る（ｃｏｎｓｉｓｔｉｎｇ  ｏｎｌｙ  ｏｆ）」の意味に限定されない。それらが現れる場合、対応する意味が、関連する言葉である「備える（ｃｏｍｐｒｉｓｅ）」、「備えた（ｃｏｍｐｒｉｓｅｄ）」および「備える（ｃｏｍｐｒｉｓｅｓ）」によってなされることになる。
【００９２】
前述のものには本発明の例示的な実施形態が記載されており、本発明の範囲から逸脱しない限り、訂正、修正、追加および／または変更が本発明になされてもよいことが理解されよう。したがって、記載される実施形態は、単なる例示的なものであり、限定的なものではない。したがって、上述の種々の実施形態は、他の機能または実施形態と共に実施されてもよい。たとえば、ある実施形態の態様が別の実施形態の態様と組み合わせられて、本発明のさらに追加的な実施形態を実現してもよい。
【図１】
2019515155.tif 000003
【図２】
2019515155.tif 000004
【図３】
2019515155.tif 000005
【図４】
2019515155.tif 000006
【図５】
2019515155.tif 000007
【図６】
2019515155.tif 000008
【図７】
2019515155.tif 000009
【図８】
2019515155.tif 000010
【国際調査報告】
2019515155.tif 000011
2019515155.tif 000012
2019515155.tif 000013
2019515155.tif 000014
2019515155.tif 000015
2019515155.tif 000016